(57)【要約】      （修正有）【課題】エアーベッドを提供する。【解決手段】エアーベッドであって、複数の長い筒状袋体と、外周整形帯と、を含む。複数の長い筒状袋体は、並んで配置されてマットレス本体を形成し、各長い筒状袋体が外筒部と、内気室１９と、を含む。外筒部１７は、内気室の外部を覆い、互いに連通せず、外筒部と内気室との間に層間隙間１５５が形成され、外筒部の表面積が内気室の表面積より小さいか等しく、内気室の外筒部の内壁に近接する箇所にしわを生じさせ、層間隙間内に液体を充満させ、さらに液体がしわ内にまで充満する。外周整形帯２０は、マットレス本体の外周に連結すると共に囲繞される。内気室及び内気室の外筒部表面に近接するしわ１９１に格納された液体を通じて、人体が横臥すると、衝撃を転移及び吸収させ、十分なクッションを得ることができ、同時に液体を介して人体との熱交換をすることで、肌に優しい快適さを実現する。【選択図】図２
0003225598.tif 000002
【実用新案登録請求の範囲】
【請求項１】
並んで配置されてマットレス本体を形成し、各長い筒状袋体が外筒部と、内気室と、を含み、前記外筒部は、前記内気室の外部を覆い、互いに連通せず、前記外筒部と前記内気室との間に層間隙間が形成され、前記外筒部の表面積が前記内気室の表面積より小さいか等しく、前記内気室の前記外筒部の内壁に近接する箇所にしわを生じさせ、前記層間隙間内に液体を充満させ、さらに前記液体が前記しわ内にまで充満する複数の長い筒状袋体と、
前記マットレス本体の外周に連結すると共に囲繞される外周整形帯と、
を含む、エアーベッド。
【請求項２】
上被覆層と、下被覆層と、を含み、各々前記外周整形帯の上下方を覆い、共同で前記長い筒状袋体及び前記外周整形帯を包み込む被覆シートをさらに含む、請求項１に記載のエアーベッド。
【請求項３】
前記被覆シートは、前記上被覆層及び前記下被覆層に連結され、前記長い筒状袋体の間に介設する複数本の引きバンドをさらに含む、請求項２に記載のエアーベッド。
【請求項４】
前記長い筒状袋体の前記内気室に連通された給気パイプをさらに含み、前記被覆シートに調圧弁が嵌設され、前記調圧弁が前記給気パイプに接続される、請求項２に記載のエアーベッド。
【請求項５】
前記長い筒状袋体の層間隙間内までに連通された液体注入パイプをさらに含み、前記被覆シートに液体用バルブが嵌設され、前記液体用バルブが前記液体注入パイプに連通される、請求項２に記載のエアーベッド。
【請求項６】
前記マットレス本体と前記外周整形帯の間に設けられた加熱プレートをさらに含む、請求項１に記載のエアーベッド。
【請求項７】
前記加熱プレートに電気的に接続され、温度センサと、前記温度センサに電気的に接続されたコントローラと、を備える温度調節デバイスをさらに含み、前記コントローラが前記温度センサによって検出された温度に応じて前記加熱プレートを選択的に加熱又は加熱停止に制御する、請求項６に記載のエアーベッド。
【請求項８】
前記長い筒状袋体の少なくとも１つは、圧力調整筒状体であり、前記圧力調整筒状体の外筒部が前記圧力調整筒状体の内部空気流動減衰を提供するため、少なくとも１つのネッキング部位を含む、請求項１に記載のエアーベッド。
【請求項９】
前記長い筒状袋体内は、２本の圧力調整筒状体を含み、前記２本の圧力調整筒状体の前記ネッキング部位が異なる内径通路を備える、請求項８に記載のエアーベッド。
【請求項１０】
前記圧力調整筒状体の前記外筒部は、２つのネッキング部位を含み、前記２つのネッキング部位が異なる内径通路を備える、請求項８に記載のエアーベッド。
【請求項１１】
前記外周整形帯は、少なくとも１段のくびれ部をさらに含む、請求項１に記載のエアーベッド。
【請求項１２】
前記液体は、水、油或いはそれらの混合物である、請求項１に記載のエアーベッド。
【考案の詳細な説明】
【技術分野】
【０００１】
本考案は、寢具分野に関し、特に、エアーベッドに関する。
【背景技術】
【０００２】
従来のエアーベッド又はウォーターベッドは、十分な支持力に達するため、通常その内部に空気或いは水を封入した気室を充填しているが、硬度、剛性及び支持力がアップすると同時に、内部の流体量が大きいことで反力が上がってしまっていた。例えば、人が瞬間的に横たわった時、体が沈みこみすぎるので、空気或いは水が瞬間的にマットレスの他の位置に集中する。そのため、横臥者又は他の位置にいる横臥者に不快感を与え、さらに騒がせてしまい、睡眠の質にも影響を及ぼしている。
【０００３】
また、その内部に水、空気を充満しており漏れが心配であるので、従来のマットレス内に取り付け難く、また一般利用者にとっては肌触りが悪いで快適性に欠けていた。
【考案の概要】
【考案が解決しようとする課題】
【０００４】
上記課題を解決するために、本考案はエアーベッドを提供することを目的とする。
【課題を解決するための手段】
【０００５】
上記目的を達成するため、本考案のエアーベッドは複数の長い筒状袋体と、外周整形帯と、含む。複数の長い筒状袋体は、並んで配置されてマットレス本体を形成し、各長い筒状袋体が外筒部と、内気室と、を含む。外筒部は、内気室の外部を覆い、互いに連通せず、外筒部と内気室との間に層間隙間が形成され、外筒部の表面積が内気室の表面積より小さいか等しく、内気室の外筒部の内壁に近接する箇所にしわを生じさせ、層間隙間内に液体を充満させ、さらに液体がしわ内にまで充満する。外周整形帯は、マットレス本体の外周に連結すると共に囲繞される。
【０００６】
幾つかの実施例では、エアーベッドは、上被覆層と、下被覆層と、を含み、各々外周整形帯の上下方を覆い、共同で長い筒状袋体及び外周整形帯を包み込む被覆シートをさらに含む。
【０００７】
さらに、幾つかの実施例では、被覆シートは、上被覆層及び下被覆層に連結され、これら長い筒状袋体の間に介設する複数本の引きバンドをさらに含む。
【０００８】
さらに、幾つかの実施例では、エアーベッドは、長い筒状袋体の内気室に連通された給気パイプをさらに含み、被覆シートに調圧弁が嵌設され、調圧弁が給気パイプに接続される。
【０００９】
さらに、幾つかの実施例では、エアーベッドは、これら長い筒状袋体の層間隙間内までに連通された液体注入パイプをさらに含み、被覆シートに液体用バルブが嵌設され、液体用バルブが液体注入パイプに連通される。
【００１０】
幾つかの実施例では、エアーベッドは、マットレス本体と外周整形帯の間に設けられた加熱プレートをさらに含む。
【００１１】
より詳細には、幾つかの実施例では、エアーベッドは、加熱プレートに電気的に接続され、温度センサと、温度センサに電気的に接続されたコントローラと、を備える温度調節デバイスをさらに含み、コントローラが温度センサによって検出された温度に応じて加熱プレートを選択的に加熱又は加熱停止に制御する。
【００１２】
幾つかの実施例では、これら長い筒状袋体の少なくとも１つは、圧力調整筒状体であり、圧力調整筒状体の外筒部が圧力調整筒状体の内部空気流動減衰を提供するため、少なくとも１つのネッキング部位を含む。
【００１３】
より詳細には、幾つかの実施例では、これら長い筒状袋体内は、２本の圧力調整筒状体を含み、２本の圧力調整筒状体のネッキング部位が異なる内径通路を備える。
【００１４】
別の幾つかの実施例では、圧力調整筒状体の外筒部は、２つのネッキング部位を含み、２つのネッキング部位が異なる内径通路を備える。
【００１５】
幾つかの実施例では、外周整形帯は、少なくとも１段のくびれ部をさらに含む。
【００１６】
幾つかの実施例では、液体は、水、油或いはそれらの混合物である。
【考案の効果】
【００１７】
前記実施例で説明したように、内気室と、外筒部と、を備えた長い筒状袋体を配列してマットレス本体を形成し、内気室の外筒部表面に近接するしわに格納された液体を通じて、人体が横臥すると、衝撃を転移及び吸収させ、十分なクッションを得ることができ、同時に液体を介して人体との熱交換をすることで、肌に優しい快適さを実現する。
【図面の簡単な説明】
【００１８】
【図１】本考案の実施例１に係るエアーベッドを示す模式図である。
【図２】図１Ａ−Ａ線の断面図である。
【図３】図１のエアーベッドの局所を示す模式図である。
【図４】本考案の実施例２に係るエアーベッドの局所を示す模式図である。
【図５】本考案の実施例３に係るエアーベッドの局所を示す模式図である。
【考案を実施するための形態】
【００１９】
例えば要素は別の要素に「結合された」と称された時、要素が直接別の要素上にあり、又は中間要素が存在することもでき、中間要素を通じて要素と別の要素を結合することを意味することが理解されたい。逆に、要素は「直接別の要素上にある」或いはいは「直接別の要素に結合される」と称された時、中間要素が存在しないことを明確に定義されることが理解されたい。
【００２０】
「第１」、「第２」、「第３」等の用語は、本明細書において各種要素、部材、領域又は部分の描写に使用されることができるが、それら要素、部材、領域及び／或いはいは部分がそれら用語の制限を受けない。それら用語は、１個の要素、部材、領域又は部分を別の要素、部材、領域、層或いはいは部分と区別するだけに使用される。よって、以下に記述する「第１要素」、「第１部材」、「第１領域」、又は「第１部分」は、「第２要素」、「第２部材」、「第２領域」、或いはいは「第２部分」として解釈できて本明細書の教示から逸脱しない。
【００２１】
例えば、「下」又は「底部」及び「上」或いはいは「頂部」の空間に関連する用語は、図に示すように、本明細書において１つの要素と他の要素との関係の描写に用いられることができる。空間に関連する用語は、図面に描かれている方位に加えて、使用時又は操作時における装置の別の方位も含むものであることが理解されたい。例えば、図面における装置が反転した場合、他の要素の「下」にあると説明されている要素は、他の要素の「上」方に配向されることになる。よって、「下」という例示的な用語は、「下」及び「上」の方位を含んでもよく、添付図面の特定の方位に取り決める。同様に、例えば、図面における装置が反転した場合、他の要素の「下方」、「真下」にあると説明されている要素は、他の要素の「上方」に配向されることになる。したがって、「下方」又は「真下」という例示的な用語は、「上方」の方位と「下方」の方位の両方を含んでいることになる。
【実施例１】
【００２２】
図１は、本考案の実施例１に係るエアーベッドを示す模式図である。図２は、図１のＡ−Ａ線の断面図である。図１及び図２に示すように、エアーベッド１は、複数の長い筒状袋体１５と、外周整形帯２０と、を含む。複数の長い筒状袋体１５は、並んで配置されてマットレス本体１０を形成し、各長い筒状袋体１５が外筒部１７と、内気室１９と、を含む。外筒部１７は、内気室１９の外部を覆い、互いに連通せず、外筒部１７と内気室１９との間に層間隙間１５５が形成され、外筒部１７の表面積が内気室１９の表面積より小さいか等しく、内気室１９の外筒部１７内壁に近接する箇所にしわ１９１を生じさせ、層間隙間１５５内に液体Ｌを充満させ、さらに液体Ｌがしわ１９１内にまで充満する。外周整形帯２０は、マットレス本体１０の外周に連結すると共に囲繞されることで、マットレス本体１０の長い筒状袋体１５を分離しにくくし、一定の形状を維持させる。
【００２３】
ここで、内気室１９の外筒部１７内壁に近接する箇所にしわ１９１が生じされ、層間隙間１５５内に液体Ｌが充満される。マットレス本体１０に横臥した時、液体Ｌが流動することでクッションの効果を奏し、同時に液体Ｌの注入時、大部分の層間隙間１５５内の空気のほとんどが排除されるので、液体Ｌが外筒部１７に近接する。したがって、横臥者により肌に優しく快適さを感じさせることができる。ここで、液体Ｌは、水、油或いはそれらの混合物であってもよい。
【００２４】
再度図１及び図２を参照すると、エアーベッド１は、上被覆層３１と、下被覆層３３と、を含み、各々外周整形帯２０の上下方を覆い、共同で長い筒状袋体１５及び外周整形帯２０を包み込む被覆シート３０をさらに含む。上被覆層３１と下被覆層３３は、側辺で互いに接合することで、これら長い筒状袋体１５及び外周整形帯２０をその中に完全に配置させることができる。被覆シート３０は、布地の材質であってもよく、マットレスの利用者は異物感を感じることもなく、素早く適応できる。さらに、被覆シート３０は、上被覆層３１及び下被覆層３３に連結され、これら長い筒状袋体１５の間或いは長い筒状袋体１５と外周整形帯２０の間に介設され、位置決め及び仕切りのための複数本の引きバンドをさらに含む。
【００２５】
図３は、図１のエアーベッドの局所を示す模式図である。図３に示すように、幾つかの実施例では、エアーベッド１は給気パイプ４０をさらに含み、給気パイプ４０が枝管を通じて各長い筒状袋体１５の内気室１９と連通し、被覆シート３０に調圧弁４５が嵌設され、調圧弁４５が給気パイプ４０に接続される。給気パイプ４０及び調圧弁４５を通じて、エアーベッド１は、迅速に空気を入れることができ、したがって通常の輸送時の輸送を容易にする目的で調圧弁４５を通じて先に空気を抜くことができ、使用時、さらに給気パイプ４０及び調圧弁４５を通じて空気を入れる。また、利用者は、自分に合った適度な硬さをさらに調節できる。図面では、単一の調圧弁４５によって表されているが、実際には、それぞれ空気入れ、空気抜き用の複数の調圧弁４５もあり得る。
【００２６】
さらに図３を参照すると、幾つかの実施例では、エアーベッド１は、液体注入パイプ５０をさらに含み、液体注入パイプ５０がこれら長い筒状袋体１５の層間隙間１５５内までに連通され、被覆シート３０に液体用バルブ５５が嵌設され、液体用バルブ５５が液体注入パイプ５０に連通される。したがって、通常の輸送時には、液体用バルブ５５を通じて先に液体Ｌを排出させることができ、使用時、さらに液体用バルブ５５及び液体注入パイプ５０を通じて注水できる。図面では、液体用バルブ５５によって表されているが、実際には、それぞれ液体Ｌの注入、液体Ｌの排出用の複数の液体用バルブ５５もあり得る。
【実施例２】
【００２７】
図４は、本考案の実施例２に係るエアーベッドの局所を示す模式図である。図４に示すように、実施例２のエアーベッド１は、マットレス本体１０と外周整形帯２０との間に設けられた加熱プレート６０をさらに含み、加熱プレート６０が加熱時エアーベッド１の内部で実施することを維持するため、被覆シート３０で覆わられる。さらに、エアーベッド１は、温度調節デバイス６５をさらに含み、温度調節デバイス６５が加熱プレート６０に電気的に接続され、温度センサ６５１と、温度センサ６５１に電気的に接続されたコントローラ６５３と、を含み、コントローラ６５３が温度センサ６５１によって検出された温度に応じて加熱プレート６０を選択的に加熱又は加熱停止に制御する。
【実施例３】
【００２８】
図５は、本考案の実施例３に係るエアーベッドの局所を示す模式図である。図５に示すように、実施例３のエアーベッド１は、マットレス本体１０を構成するこれら長い筒状袋体１５に少なくとも１本の圧力調整筒状体１５４を備えている。圧力調整筒状体１５４の外筒部１７は、圧力調整筒状体１５４内部の空気流動の減衰を提供するため、少なくとも１つのネッキング部位１５７を含む。これにより、人体が横臥した時、空気の流動を減らすことで、空気の急速な流動による集中や突出の発生を防止し、同じベッドに横臥している人に騒ぎを与えることも避けることができる。
【００２９】
図５に示すように、さらに、幾つかの実施例では、マットレス本体１０の長い筒状袋体１５内に複数の圧力調整筒状体１５４を含む。これら圧力調整筒状体１５４のネッキング部位１５７は、同一又は異なる内径通路を備えることができ、異なる内径通路のみが図面に描かれているが、これは一例に過ぎず、限定を意図するものではない。また、同じ圧力調整筒状体１５４のネッキング部位１５７は、複数のネッキング部位１５７を備えることもでき、前記ネッキング部位１５７が同一又は異なる内径通路を備える。換言すれば、圧力調整筒状体１５４は、異なるクッション効果を調整するため、人体の位置に応じてネッキング部位１５７を設置させることができる。
【００３０】
さらに、幾つかの実施例では、外周整形帯２０は、頭部又は足部の気流の緩衝を提供する目的で、少なくとも１つのくびれ部２１５をさらに含む。同様に、外周整形帯２０も複数のくびれ部２１５を有してもよく、くびれ部２１５の内径通路は同じでも異なっていてもよい。
【産業上の利用可能性】
【００３１】
上述をまとめると、内気室１９と、外筒部１７と、を備えた長い筒状袋体１５を配列してマットレス本体１０を形成し、内気室１９の外筒部１７表面に近接するしわ１９１に格納された液体Ｌを通じて、人体が横臥すると、衝撃を転移及び吸収させ、十分なクッションを得ることができ、同時に液体Ｌを介して人体との熱交換をすることで、肌に優しい快適さを実現する。
【００３２】
本考案の技術的内容は、好ましい実施例で上記通り開示され、そのような実施例により本考案の保護範囲が限定されるべきものではなく、当業者が本考案の精神から離れることなく種々の変更及び改変を為し得ることは、本考案の範囲に含めるものであるのが勿論である。よって本考案の保護範囲は、本明細書に添付する実用新案登録請求の範囲で定義しているものを基準とする。
【符号の説明】
【００３３】
１０  マットレス本体
１    エアーベッド
１５  長い筒状袋体
１５４    圧力調整筒状体
１５５    層間隙間
１５７    ネッキング部位
１７  外筒部
１９  内気室
１９１    しわ
２０  外周整形帯
２１５    くびれ部
３０  被覆シート
３１  上被覆層
３３  下被覆層
３５  引きバンド
４０  給気パイプ
４５  調圧弁
５０  液体注入パイプ
５５  液体用バルブ
６０  加熱プレート
６５  温度調節デバイス
６５１    温度センサ
６５３    コントローラ
Ｌ    液体
【図１】
0003225598.tif 000003
【図２】
0003225598.tif 000004
【図３】
0003225598.tif 000005
【図４】
0003225598.tif 000006
【図５】
0003225598.tif 000007